(57)【特許請求の範囲】
【請求項１】
撮像手段により撮像された画像データを記録媒体に記録すると共に、記録媒体から画像データを再生して表示する電子スチルカメラにおいて、
上記画像データを記録媒体に記録するとき、あるいは記録媒体から再生するときに所定の画像信号処理を施す画像信号処理手段と、
上記画像信号処理手段からの画像信号を表示する画像表示手段と、
上記画像表示手段に表示された元画像の画像信号の任意の一部領域を拡大表示する拡大表示領域をスクロールするとき、スクロール幅を拡大倍率に応じて変える制御手段とを備え、
上記制御手段は、上記拡大倍率が低いほどスクロール幅を大きく、上記拡大倍率が高いほどスクロール幅を小さくすることを特徴とする電子スチルカメラ。
【請求項２】
入力された画像信号の解像度を変換する解像度変換手段を備え、この解像度変換手段を用いて上記画像信号の任意の一部領域を拡大表示することを特徴とする請求項１記載の電子スチルカメラ。
【請求項３】
上記記録媒体は、内蔵のメモリ又は取り外し可能な記録メディアであることを特徴とする請求項１記載の電子スチルカメラ。
【発明の詳細な説明】
【０００１】
【発明の属する技術分野】
本発明は、記録媒体に記録された画像データを再生し表示する電子スチルカメラに関する。
【０００２】
【従来の技術】
デジタルスチルカメラ等により作成されたデジタル画像は、画像データに解像度変換処理を施すことにより元画像の一部分を拡大表示することが可能である。その際に、元画像の中で拡大表示させる領域を拡大画像を見ながら順次移動させていくスクロール機能があると、拡大表示領域の決定を安易に行うことができる。
【０００３】
【発明が解決しようとする課題】
ところで、従来のスクロール処理では拡大率に関わらず、例えば１０画素づつというようにスクロールの量が一定であった。このような処理方法では図６の（ａ）、（ｂ）に示すように、拡大倍率が大きくなるほど、スクロールの変化量が大きくなる。すなわち、図６の（ａ）は低倍率時、図６の（ｂ）は高倍率時の時に１段階スクロールした表示例であるが、拡大倍率が大きい方が画面上は画像が大きく動くように見える。ところが前記のように、スクロール機能は拡大表示領域を決定するために使われるので、このように拡大倍率に応じて見た目のスクロール量が大きくなるのは操作性がよくなく、使用者の意図が拡大表示領域決定に正確に反映できない。
【０００４】
本発明は、上記実情に鑑みてなされたものであり、拡大倍率が大きいときほど、スクロールによる細かい画枠調整が可能になり、操作性が向上し、使用者の意図が拡大表示領域決定に正確に反映できるようになる電子スチルカメラの提供を目的とする。
【０００７】
【課題を解決するための手段】
本発明に係る電子スチルカメラは、上記課題を解決するために、撮像手段により撮像された画像データを記録媒体に記録すると共に、記録媒体から画像データを再生して表示する電子スチルカメラにおいて、上記画像データを記録媒体に記録するとき、あるいは記録媒体から再生するときに所定の画像信号処理を施す画像信号処理手段と、上記画像信号処理手段からの画像信号を表示する画像表示手段と、上記画像表示手段に表示された元画像の画像信号の任意の一部領域を拡大表示する拡大表示領域をスクロールするとき、スクロール幅を拡大倍率に応じて変える制御手段とを備え、上記制御手段は、上記拡大倍率が低いほどスクロール幅を大きく、上記拡大倍率が高いほどスクロール幅を小さくする。
【０００９】
【発明の実施の形態】
以下、本発明の実施の形態について図面を参照しながら説明する。この実施の形態は、電子スチルカメラ内部に備えられる、記録再生装置である。この記録再生装置とその周辺の構成を図１に示す。
【００１０】
電子スチルカメラのシャッターボタンが撮影者により押されてＣＣＤ１で撮像された画像情報はメモリーカード６に記録される共に、このメモリーカード６から任意に取り出され、画像表示装置３に表示される。
【００１１】
図１のＣＣＤ１で撮像された画像は、画像処理回路２により処理されて、画像表示装置３に表示される。ここで画像表示装置３とは、例えば内蔵の液晶パネルやＥＶＦ、あるいは外部に接続したテレビモニタ等である。
【００１２】
以下、記録再生装置の全体的な構成、動作について説明する。
【００１３】
撮影者がシャッターボタンを押すと、ＣＣＤ１で撮影された画像は、画像処理回路２を通してＤＲＡＭ４に一旦記録される。ＤＲＡＭ４に記録された画像は、画像処理回路２により圧縮処理を施され、再びＤＲＡＭ４に書き戻される。ＤＲＡＭ４に書き戻された圧縮画像データは、メモリーカードコントローラー５を経てメモリーカード６に記録される。
【００１４】
メモリーカード６に記録された画像を再生する場合は、メモリーカードコントローラー５を経てメモリーカード６より圧縮画像データを読み込み、ＤＲＡＭ４に記録する。その圧縮画像データを画像処理回路２で伸張処理し、ＤＲＡＭ４に書き戻す。ＤＲＡＭ４に書き戻された画像データは、画像処理回路２で処理された後、画像表示装置３に表示される。
【００１５】
以上の各ブロック間の画像データの移動は、制御マイコン（マイクロコンピュータ）７によって制御される。
【００１６】
制御マイコン７は、上記画像を拡大表示する場合に、通常の再生表示の場合と同じように、ＤＲＡＭ４には伸張された画像データが記録される。
【００１７】
制御マイコン７は、ＤＲＡＭ４に記録されている原画像の一部分を解像度変換装置８に入力する。入力される領域は制御マイコン７が拡大率に応じて決定する。解像度変換装置８は入力された画像を画像表示装置３で表示するのに必要な大きさの画像に解像度変換し、ＤＲＡＭ４に書き戻す。書き戻された拡大画像は、画像処理回路２で処理された後、画像表示装置３に表示される。
【００１８】
次に、拡大画像のスクロール処理について図２のフローチャートと、図３の表示例を用いて説明する。図３中で画枠３１に囲まれた部分が元画像である。そして元画像中に実線で表示されている画枠３２に囲まれた領域が現在拡大表示されている領域である。
【００１９】
拡大画像をスクロールしたい時、撮影者は図２のステップＳ１で図１中の十字キー９をスクロールしたい方向に押す。すると、制御マイコン７は、ステップＳ２で十字キー９が押された方向からスクロールする方向を決定する。
【００２０】
次に、スクロールする方向が決定すると、制御マイコン７はステップＳ３で拡大倍率よりスクロール幅dx、dyを計算する。このとき、拡大倍率が大きい場合は、拡大倍率が小さい場合に比べてスクロール幅dx、dyが小さくなるように計算する。この例ではスクロール幅を拡大画像の１辺の例えば１／１０というように計算する。
【００２１】
スクロール幅がステップＳ３で決まれば、制御マイコン７はステップＳ４で現在表示されている領域を基に新たに拡大処理を施す領域を決定する。図３では元画像中に破線で表示されている画枠３３に囲まれた領域が決定された領域である。そして、制御マイコン７は新しく決定された領域に対して拡大表示処理を行う。
【００２２】
次に、上記図１に示した記録再生装置を内蔵する電子スチルカメラについて図４，図５を用いて説明する。図４は電子スチルカメラ１１の正面図であり、図５は後方からの斜視図である。
【００２３】
電子スチルカメラ１１は、カメラ本体１２の上部に撮影部１３を前後方向に回転可能に取り付けて構成されている。カメラ本体１２には、上記図１に示した記録再生装置が内蔵されると共に、記録媒体である上記メモリーカード６が出し入れ可能に収納され、後面側のほぼ中央部に画像表示装置３が配設されている。また、撮影部１３にはレンズユニット１５とストロボユニット１６が横方向に所要間隔をおいて配置されている。
【００２４】
このように構成される電子スチルカメラ１１のカメラ本体１２は、外筐２１が前面パネル２２と後面パネル２３とを合体して形成される。この外筐２１の上部には上記撮影部１３を回転可能に取り付ける、凹部２１ａが形成されている。
【００２５】
また、カメラ本体１２の外筐２１には、メモリーカード６を装填するための挿入開口２５が底面部２１ｂ側の一方の角部に位置して形成されており、この挿入開口２５を開閉する蓋開閉装置４０が備えられている。
【００２６】
上記記録再生装置を備えていることにより、電子スチルカメラ１１は図５の表示装置３上で、拡大倍率が大きいときほど、スクロールによる細かい画枠調整が可能となり、操作性を向上し、使用者の意図が拡大表示領域決定に正確に反映できるようになる。
【００２７】
なお、上記実施の形態としては、電子スチルカメラ内部に備えられる、記録再生装置を挙げたが、単にメモリーカードに記録された画像データを再生する画像再生装置を実施の形態としてもよい。その場合、図１においてＣＣＤ１を除いた構成とすればよい。この画像再生装置は、例えば、電子スチルカメラ等で撮影された画像データを取り外し可能なメモリーカードから読み出して管面表示するようないわゆるビュウアーのような画像表示装置に適用できる。
【００２８】
また、上記で画像の圧縮伸張処理を画像処理回路２で、解像度変換を解像度変換装置８で行うと説明したが、システムの構成によっては制御マイコン７のソフトウェアで圧縮伸張処理、解像度変換処理を行っても良い。また、圧縮／伸張／解像度変換処理した画像データをＤＲＡＭに記録すると説明したが、これは一例であり、その他のシステム構成も考えられる。
【００２９】
【発明の効果】
本発明によれば、拡大倍率が大きいときほど、スクロールによる細かい画枠調整が可能になり、操作性が向上し、使用者の意図が拡大表示領域決定に正確に反映できるようになる。
【図面の簡単な説明】
【図１】本発明の実施の形態となる記録再生装置の構成を示すブロック図である。
【図２】上記記録再生装置が行うスクロール幅決定処理を説明するためのフローチャートである。
【図３】上記スクロール幅決定処理を具体的に説明するための表示例を示す図である。
【図４】上記記録再生装置を内蔵する電子スチルカメラの正面図である。
【図５】上記電子スチルカメラの後方からの斜視図である。
【図６】従来の画像再生装置による、スクロール処理を説明するための表示例を示す図である。
【符号の説明】
２  画像処理回路、３  画像表示装置、６  メモリーカード、７  制御マイコン、８  解像度変換装置、１１  電子スチルカメラ
【図１】
0004186292.tif 000002
【図２】
0004186292.tif 000003
【図３】
0004186292.tif 000004
【図４】
0004186292.tif 000005
【図５】
0004186292.tif 000006
【図６】
0004186292.tif 000007